(57)【要約】【課題】イベントの開催案内等を表示する画面の表示時間や画面中の時刻表示を一括変換する。【解決手段】表示制御の対象となる任意の構成の複数のページ３１と当該ページの表示開始時刻３６と表示終了時刻３７とを設定したスケジュールデータ３５を記憶する記憶装置３０と、スケジュールデータ３５を参照して、複数のページ３１を、それぞれ表示開始時刻３６から表示終了時刻３７まで表示装置４０に表示するよう制御する表示制御手段２５と、シフト時間データ２６の入力を受け付ける入力受付手段２１と、スケジュールデータ３５に含まれたページ３１の表示開始時刻３６と表示終了時刻３７の全部または一部を一括して、シフト時間データ２６に従ってシフトさせるシフト処理手段２２を備える。【選択図】図１
2007293742.tif 000002
【特許請求の範囲】
【請求項１】
表示制御の対象となる任意の構成の複数のページと当該ページの表示開始時刻と表示終
了時刻とを設定したスケジュールデータを記憶する記憶装置と、
前記スケジュールデータを参照して、前記複数のページを、それぞれ前記表示開始時刻
から前記表示終了時刻まで表示装置に表示するよう制御する表示制御手段と、
シフト時間データの入力を受け付ける入力受付手段と、
前記スケジュールデータに含まれた前記ページの表示開始時刻と表示終了時刻の全部ま
たは一部を一括して、前記シフト時間データに従ってシフトさせるシフト処理手段を備え
たことを特徴とする画像表示制御システム。
【請求項２】
請求項１に記載の画像表示制御システムにおいて、
指定された時間範囲に含まれた前記ページの表示開始時刻と表示終了時刻を、前記シフ
ト時間データに従ってシフトさせるシフト処理手段を備えたことを特徴とする画像表示制
御システム。
【請求項３】
請求項１に記載の画像表示制御システムにおいて、
相互に関係付けられた複数のページの表示開始時刻と表示終了時刻を、前記シフト時間
データに従ってシフトさせるシフト処理手段を備えたことを特徴とする画像表示制御シス
テム。
【請求項４】
請求項１に記載の画像表示制御システムにおいて、
前記ページは、任意の画像表示用データもしくは任意の機器の動作タイミングを制御す
る制御データを含むことを特徴とする画像表示制御システム。
【請求項５】
請求項１に記載の画像表示制御システムにおいて、
前記ページは、時刻表示を含み、
前記シフト処理手段は、前記ページの表示開始時刻と表示終了時刻の全部または一部と
ともに、前記時刻表示をシフトさせることを特徴とする画像表示制御システム。
【請求項６】
時刻表示を含むページと、前記時刻表示をシフトさせるためのシフト時間データとを記
憶する記憶装置と、
前記シフト時間データの入力を受け付ける入力受付手段と、
前記時刻表示を前記シフト時間データに従ってシフトさせるシフト処理手段と、
前記シフト処理後の時刻表示を含むページを表示するためのデータを生成するページ処
理手段と、
前記ページを表示装置に転送して表示制御をする表示制御手段とを備えたことを特徴と
する画像表示制御システム。
【請求項７】
請求項６に記載の画像表示制御システムにおいて、
前記時刻表示は複数のグループに区分され、前記シフト時間データが前記グループ毎に
設けられることを特徴とする画像表示制御システム。
【請求項８】
請求項７に記載の画像表示制御システムにおいて、
前記シフト時間データは、前記ページ毎に設けられることを特徴とする画像表示制御シ
ステム。
【請求項９】
コンピュータを、
表示制御の対象となる任意の構成の複数のページと当該ページの表示開始時刻と表示終
了時刻とを設定したスケジュールデータを記憶する記憶装置と、
前記スケジュールデータを参照して、前記複数のページを、それぞれ前記表示開始時刻
から前記表示終了時刻まで表示装置に表示するよう制御する表示制御手段と、
シフト時間データの入力を受け付ける入力受付手段と、
前記スケジュールデータに含まれた前記ページの表示開始時刻と表示終了時刻の全部ま
たは一部を一括して、前記シフト時間データに従ってシフトさせるシフト処理手段、
として機能させる画像表示制御プログラム。
【請求項１０】
コンピュータを、
表示制御の対象となる任意の構成の複数のページと当該ページの表示開始時刻と表示終
了時刻とを設定したスケジュールデータを記憶する記憶装置と、
前記スケジュールデータを参照して、前記複数のページを、それぞれ前記表示開始時刻
から前記表示終了時刻まで表示装置に表示するよう制御する表示制御手段と、
シフト時間データの入力を受け付ける入力受付手段と、
前記スケジュールデータに含まれた前記ページの表示開始時刻と表示終了時刻の全部ま
たは一部を一括して、前記シフト時間データに従ってシフトさせるシフト処理手段、
として機能させる画像表示制御プログラムを記録したコンピュータで読み取り可能な記
録媒体。
【請求項１１】
記憶装置が、表示制御の対象となる任意の構成の複数のページと当該ページの表示開始
時刻と表示終了時刻とを設定したスケジュールデータを記憶するステップと、
表示制御手段が、前記スケジュールデータを参照して、前記複数のページを、それぞれ
前記表示開始時刻から前記表示終了時刻まで表示装置に表示するよう制御するステップと
、
入力受付手段が、シフト時間データの入力を受け付けるステップと、
シフト処理手段が、前記スケジュールデータに含まれた前記ページの表示開始時刻と表
示終了時刻の全部または一部を一括して、前記シフト時間データに従ってシフトさせるス
テップ、
とを含む画像表示制御方法。
【発明の詳細な説明】
【技術分野】
【０００１】
本発明は、イベントの開催案内等を表示する画面の表示時間や画面中の時刻表示を一括
変換できる、画像表示制御システムと画像表示制御プログラムと記録媒体と画像表示制御
方法に関する。
【背景技術】
【０００２】
例えば、博覧会や見本市等では、来場者に多数のブースの展示物やイベントの開催スケ
ジュールを案内する。そのために、多数の表示装置と情報端末とネットワークを利用して
、案内情報の表示を実現する運営システムが開発されている（特許文献１参照）。
【特許文献１】特開２００２−１８８４９４号公報
【発明の開示】
【発明が解決しようとする課題】
【０００３】
ここで、従来の技術には、次のような解決すべき課題があった。各種イベントが特定の
会場で開催される場合には、その開催予定時刻が表示される。この開催予定時刻は、しば
しば、主催者側の都合で変更される。例えば、開催時間が繰り下がったり、一部のイベン
トが中止されたり、順番が入れ替わることもある。このとき、主催者側では、会場の表示
装置に表示される画面中の予定時刻を、ネットワークに接続された情報端末を使用して訂
正する。イベント開始案内を表示するための画面の表示タイミングも訂正が必要になるこ
とがある。これらの作業は迅速性が要求されるが、煩雑であり誤記等の間違いが生じ易い
。本発明は以上の課題を解決するためになされたもので、イベントの開催案内等を表示す
る画面の表示時間や画面中の時刻表示を、自動的に一括変換できる、画像表示制御システ
ムと画像表示制御プログラムと記録媒体と画像表示制御方法を提供することを目的とする
。
【課題を解決するための手段】
【０００４】
それぞれ次のような構成により上記の課題が解決される。
〈構成１〉  表示制御の対象となる任意の構成の複数のページと当該ページの表示開始
時刻と表示終了時刻とを設定したスケジュールデータを記憶する記憶装置と、上記スケジ
ュールデータを参照して、上記複数のページを、それぞれ上記表示開始時刻から上記表示
終了時刻まで表示装置に表示するよう制御する表示制御手段と、シフト時間データの入力
を受け付ける入力受付手段と、上記スケジュールデータに含まれた上記ページの表示開始
時刻と表示終了時刻の全部または一部を一括して、上記シフト時間データに従ってシフト
させるシフト処理手段を備えたことを特徴とする画像表示制御システム。
【０００５】
スケジュールデータにより、複数のページの表示開始時刻と表示終了時刻とを設定し制
御する。この表示開始時刻と表示終了時刻の全部または一部を一括シフトすることができ
るので、スケジュール全体を正確に簡便に変更でき、管理を容易にする。
【０００６】
〈構成２〉  構成１に記載の画像表示制御システムにおいて、指定された時間範囲に含
まれた上記ページの表示開始時刻と表示終了時刻を、上記シフト時間データに従ってシフ
トさせるシフト処理手段を備えたことを特徴とする画像表示制御システム。
【０００７】
複数のページを指定して、その表示開始時刻や表示終了時刻を一括シフトするだけでな
く、時間範囲を指定して、該当する表示開始時刻や表示終了時刻を一括シフトできる。
【０００８】
〈構成３〉  構成１に記載の画像表示制御システムにおいて、相互に関係付けられた複
数のページの表示開始時刻と表示終了時刻を、上記シフト時間データに従ってシフトさせ
るシフト処理手段を備えたことを特徴とする画像表示制御システム。
【０００９】
予め相互に関係付けられた複数のページについて、その表示開始時刻や表示終了時刻を
一括シフトできる。
【００１０】
〈構成４〉  構成１に記載の画像表示制御システムにおいて、上記ページは、任意の画
像表示用データもしくは任意の機器の動作タイミングを制御する制御データを含むことを
特徴とする画像表示制御システム。
【００１１】
表示制御の対象となるページは、任意の画像表示用データを含んでよい。また、任意の
機器の動作タイミングを制御する制御データを含んでいれば、表示開始とともに、当該機
器の動作を制御できる。
【００１２】
〈構成５〉  構成１に記載の画像表示制御システムにおいて、上記ページは、時刻表示
を含み、上記シフト処理手段は、上記ページの表示開始時刻と表示終了時刻の全部または
一部とともに、上記時刻表示をシフトさせることを特徴とする画像表示制御システム。
【００１３】
ページの表示開始時刻や表示終了時刻とともに、ページ中に含まれた時刻表示も一括シ
フトの対象にすることができる。
【００１４】
〈構成６〉  時刻表示を含むページと、上記時刻表示をシフトさせるためのシフト時間
データとを記憶する記憶装置と、上記シフト時間データの入力を受け付ける入力受付手段
と、上記時刻表示を上記シフト時間データに従ってシフトさせるシフト処理手段と、上記
シフト処理後の時刻表示を含むページを表示するためのデータを生成するページ処理手段
と、上記ページを表示装置に転送して表示制御をする表示制御手段とを備えたことを特徴
とする画像表示制御システム。
【００１５】
ページ中の時刻表示を、シフト時間データの入力によって、前後に自由に一括シフトで
きる。
【００１６】
〈構成７〉  構成６に記載の画像表示制御システムにおいて、上記時刻表示は複数のグ
ループに区分され、上記シフト時間データが上記グループ毎に設けられることを特徴とす
る画像表示制御システム。
【００１７】
ページ中の複数の時刻表示のうち、例えば、前半はそのままで、後半だけ予定変更にな
ったような場合に、前半と後半とを別々のグループに区分して、後半だけ、シフト時間デ
ータにより一括シフト処理することができる。
【００１８】
〈構成８〉  構成７に記載の画像表示制御システムにおいて、上記シフト時間データは
、上記ページ毎に設けられることを特徴とする画像表示制御システム。
【００１９】
特定のページに含まれる時刻表示だけを一括シフトの対象にしたり、ページ毎にそれぞ
れ別々のシフト時間データを適用することができる。
【００２０】
〈構成９〉  コンピュータを、表示制御の対象となる任意の構成の複数のページと当該
ページの表示開始時刻と表示終了時刻とを設定したスケジュールデータを記憶する記憶装
置と、上記スケジュールデータを参照して、上記複数のページを、それぞれ上記表示開始
時刻から上記表示終了時刻まで表示装置に表示するよう制御する表示制御手段と、シフト
時間データの入力を受け付ける入力受付手段と、上記スケジュールデータに含まれた上記
ページの表示開始時刻と表示終了時刻の全部または一部を一括して、上記シフト時間デー
タに従ってシフトさせるシフト処理手段、として機能させる画像表示制御プログラム。
【００２１】
〈構成１０〉  コンピュータを、表示制御の対象となる任意の構成の複数のページと当
該ページの表示開始時刻と表示終了時刻とを設定したスケジュールデータを記憶する記憶
装置と、上記スケジュールデータを参照して、上記複数のページを、それぞれ上記表示開
始時刻から上記表示終了時刻まで表示装置に表示するよう制御する表示制御手段と、シフ
ト時間データの入力を受け付ける入力受付手段と、上記スケジュールデータに含まれた上
記ページの表示開始時刻と表示終了時刻の全部または一部を一括して、上記シフト時間デ
ータに従ってシフトさせるシフト処理手段、として機能させる画像表示制御プログラムを
記録したコンピュータで読み取り可能な記録媒体。
【００２２】
〈構成１１〉  記憶装置が、表示制御の対象となる任意の構成の複数のページと当該ペ
ージの表示開始時刻と表示終了時刻とを設定したスケジュールデータを記憶するステップ
と、表示制御手段が、上記スケジュールデータを参照して、上記複数のページを、それぞ
れ上記表示開始時刻から上記表示終了時刻まで表示装置に表示するよう制御するステップ
と、入力受付手段が、シフト時間データの入力を受け付けるステップと、シフト処理手段
が、上記スケジュールデータに含まれた上記ページの表示開始時刻と表示終了時刻の全部
または一部を一括して、上記シフト時間データに従ってシフトさせるステップ、とを含む
画像表示制御方法。
【発明を実施するための最良の形態】
【００２３】
本発明によれば、画面の表示開始時刻や表示終了時刻の全部または一部を一括シフトで
きる。あるいは、画面に表示された時刻表示を一括して前後にシフトできる。また、ある
いは、画面の表示タイミングをシフトし、同時に画面に表示された時刻表示を連動させて
一括シフトする制御もできる。以下、本発明の実施の形態を実施例毎に詳細に説明する。
【実施例１】
【００２４】
図１は実施例１の画像表示制御システムブロック図である。
このシステムはコンピュータ１０により制御される。コンピュータ１０は、液晶プロジ
ェクタ等の表示装置４０を制御して、スクリーン４１に様々な画像を所定のタイミングで
表示する。なお、この実施例では液晶プロジェクタとコンピュータとを組み合わせてシス
テムを実現するが、液晶プロジェクタの中にコンピュータの全ての機能が含まれていても
よい。また、プラズマディスプレイやその他の様々な表示装置も同様に採用できる。さら
に、ＤＶＤ（ディジタルビデオデータ再生装置）４３やＶＴＲ４４（ビデオテープレコー
ダ）も表示制御の対象にすることができる。
【００２５】
コンピュータ１０には演算処理装置２０と記憶装置３０が設けられている。コンピュー
タ１０は一般によく知られた構成のもので、ディスプレイ２と本体制御部３とキーボード
４とマウス５とを備える。本体制御部３の中に、演算処理装置２０と記憶装置３０が組み
込まれている。演算処理装置２０は、入力受付手段２１、シフト処理手段２２、スケジュ
ール処理手段２３、ページ処理手段２４、及び表示制御手段２５を備える。これらの手段
はコンピュータ１０に所定の処理を実行させるコンピュータプログラムである。また、演
算処理装置２０には、入出力インタフェース４５を介して表示装置４０が接続されている
。
【００２６】
記憶装置３０には、ページ３１、スケジュールデータ３５、シフト時間データ２６、ス
ケジュール設定画面２７、スケジュール変更画面２８、絶対時刻データ２９などが記憶さ
れている。ページ３１は様々な画像要素３２を含む。画像要素３２は任意の図形や文字デ
ータである。ページ３１には時刻表示３４を含めることができる。時刻表示３４は、例え
ば、文字や図形により、例えば、あるイベントの開催時刻を表示するためのものである。
【００２７】
スケジュールデータ３５は、表示制御の対象となるページ３１と、ページの表示開始時
刻３６と表示終了時刻３７を設定するための制御用データである。ページ３１は、ページ
のタイトル３８で指定する。シフト時間データ２６は、スケジュールデータ３５に含まれ
るページの表示開始時刻３６や表示終了時刻３７を一括シフトするためのデータである。
また、あるいは、シフト時間データ２６は、ページ３１に含まれる時刻表示３４を一括シ
フトするためのデータである。
【００２８】
スケジュール設定画面２７は、スケジュールデータ３５を作成するときに操作する画面
である。スケジュール変更画面２８は、スケジュールデータ３５を変更するときに操作す
る画面である。いずれの画面もディスプレイ２に表示して使用される。絶対時刻データは
、時間の経過とともに順次書き換えられる。例えば、１秒毎に書き換えられる。このデー
タは、絶対時刻を画像要素３２に含めて表示する場合等に利用される。この絶対時刻デー
タはシフト処理などによって変更されない。
【００２９】
演算処理装置２０に設けられた入力受付手段２１は、管理者の操作によってシフト時間
データ２６が入力されたとき、その入力を受け付ける機能を持つ。シフト処理手段２２は
、スケジュールデータ３５に含まれたページの表示開始時刻３６と表示終了時刻３７の全
部または一部を一括して、シフト時間データ２６に従ってシフトさせる機能を持つ。例え
ば、シフト時間データ２６がプラス１０であればページの表示開始時刻３６を１０分遅ら
せる。マイナス１０であればページの表示開始時刻３６を１０分早める。対象となる表示
開始時刻３６が複数あれば、全てについて同様の処理を行う。
【００３０】
なお、シフト処理手段２２は、スケジュール変更画面２８で指定された時間範囲に含ま
れた、ページの表示開始時刻３６と表示終了時刻３７のみを、一括シフトすることもでき
る。また、相互に関係付けられた複数のページの表示開始時刻３６と表示終了時刻３７の
みを、一括シフトすることもできる。また、表示開始時刻３６と表示終了時刻３７の全部
または一部とともに、ページ３１中の時刻表示３４を一括シフトさせることもできる。ま
た、シフト処理手段２２は、ページ３１中の時刻表示３４のみを、シフト時間データ２６
に従ってシフトさせることができる。時刻表示３４は、複数のグループに区分され、シフ
ト時間データ２６を、グループ毎にそれぞれ独立に設けることができる。シフト時間デー
タ２６は、ページ毎にそれぞれ独立に設けることもできる。また、ページ３１は、任意の
画像表示用データもしくは任意の機器の動作タイミングを制御する制御データを含むこと
ができる。これらの具体例は後述する。
【００３１】
スケジュール処理手段２３は、スケジュール設定画面２７やスケジュール変更画面２８
を使用して、スケジュールデータ３５の内容を設定したり変更する処理を制御する機能を
持つ。表示制御手段２５は、シフト処理後の時刻表示３４を含むページ３１を表示するた
めのデータを生成する機能を持つ。表示制御手段２５は、スケジュールデータ３５を参照
して、複数のページ３１を、それぞれ表示開始時刻３６から表示終了時刻３７まで表示装
置４０に表示するよう制御する機能を持つ。表示装置４０には、入出力インタフェース４
５を通じてページ３１が転送されて表示される。また、ページ３１の表示開始時刻にＤＶ
Ｄ４３が起動して、ＤＶＤ４３の出力が表示装置４０に転送されて表示される。
【００３２】
図２は、使用されるデータの具体例説明図である。
スケジュールデータ３５は、例えば、図のような「０９：００：００」といった数値で
表示された表示開始時刻３６を含む。表示終了時刻３７も同様に数値で表示される。タイ
トル３８は「本日のご案内」といった文字で表示される。この文字のプロパティ（後述す
る）で、ページ３１（図１）のデータファイルを特定する。入力受付手段２１によれば、
例えば、図のように、スケジュールを遅らせる場合の時間の入力操作ができる。この詳細
も後述するが、このスケジュール変更画面２８の操作により、シフト時間データ２６が取
得される。シフト処理手段２２は、スケジュールデータ３５に含まれた該当する表示開始
時刻３６や表示終了時刻３７をシフトさせる。この例では、一括して５分間時刻を遅らせ
る。また、シフト処理手段２２は、ページ処理手段２４に対して、ページ３１に含まれた
時刻表示３４を一括して５分間シフトするように要求する。表示制御手段２５は、こうし
て時刻が一括シフトされたページ３１を、スケジュールデータ３５に従って表示する。
【００３３】
例えば、イベントの紹介のためにそのイベント開始１時間前にページを表示する予定で
あったが、イベントの開始時刻が３０分間延期されたような場合がある。このとき、管理
者は、シフト時間データ２６を入力して、ページの表示時刻やページに含まれたイベント
開始時刻の表示を、３０分間一括シフトする。毎日同じスケジュールでイベントが開催さ
れる場合に、その日の状況に応じて、イベントの開始時刻等を適宜シフトすることができ
る。スケジュールデータ自体の基本構成に変更を加えること無く、シフト時間データの入
力により、自由に、時刻の一括シフトができる。シフト時間データをゼロにすれば、スケ
ジュールデータを簡単に最初の状態に戻すことができる。スケジュールデータに新たなデ
ータを追加したり削除したりするデータ編集作業を必要としないから、元に戻すための複
雑な作業も必要としない。なお、スケジュールデータ３５に含まれた表示開始時刻３６や
表示終了時刻３７の一括シフト処理の具体例は、最後の実施例４で説明をする。次の実施
例２で、ページ中の時刻表示を独立に制御する説明をし、実施例３で、制御プログラムの
動作フローチャートを説明する。
【実施例２】
【００３４】
図３は、ページと時刻表示の説明図である。
ページ３１中の時刻表示３４は、スケジュールデータ３５の表示開始時刻３６等の一括
シフトと連動するように制御できる。その説明は後述することにして、ここでは、時刻表
示３４をグループ化してその時刻を強制的に一括シフトする例を説明する。例えば、図の
下方に示すようなページの表示制御をする。この画面５５には、本日開催されるイベント
名６７とその開催時刻表示６６と、時計の画像６８とが含まれている。「本日のご案内」
という文字やイベント名６７や背景の模様等は、画像要素３２である。開催時刻表示６６
には、時刻表示グループ３４−１と３４−２が含まれる。時計の画像６８は絶対時刻デー
タ２９を使用して生成された画像である。シフト時間データ３５−１は時刻表示グループ
３４−１を一括シフトさせるためのデータである。シフト時間データ３５−２は時刻表示
グループ３４−２を一括シフトさせるためのデータである。
【００３５】
この画像４５は、例えばイベントの開催中、継続的に表示し続けられているものとする
。ここで、イベントＡとイベントＢは予定通り開催されるが、イベントＣとイベントＤは
予定よりも１０分間開始を遅らせるものとする。このとき、図に示すように、イベントＡ
とイベントＢの時刻表示グループ３４−１はそのままにしておく。シフト時間データ３５
−１はシフト時間０とされている。一方、イベントＣとイベントＤの時刻表示グループ３
４−２については、当初それぞれ１５時と１７時に設定されていた。これに対して、シフ
ト時間データは１０分に設定されている。従って、時刻表示グループ３４−２は、いずれ
も１０分だけシフトされた内容になる。
【００３６】
このような制御を行うために、例えば、図１に示したコンピュータ１０のディスプレイ
２に、スケジュール変更画面２８を表示する。これは、ここには修正対象のイベントを選
択するドロップダウンリスト６１が設けられている。ここでイベントＣを選択する。さら
に、シフト時間データ３５−２を設定するためにドロップダウンリスト６２を使用する。
ここで予定を１０分遅らせるとする。また、単にイベントＣの時刻表示を１０分遅らせる
のか、あるいは進ませるのか、あるいはイベントＣ以降の全てのイベントについて時刻表
示を１０分遅らせるのかという選択ができる。この選択のために、オプションボタン６３
が用意されている。
【００３７】
この例では、イベントＣ以降の全てのイベントを１０分遅らせるというように処理を選
択している。最後にセットボタン６４をクリックすると、シフト時間データ２６−２に１
０分という値がセットされる。そして、そのシフト対象がイベントＣとイベントＤ用の時
刻表示グループ３４−２になる。キャンセルボタン６５をクリックすれば、修正対象のイ
ベントの選択がデフォルトの状態に戻る。こうして画面２８を使用して、特定のイベント
の開始時刻や終了時刻などを指定して、シフト時間の設定ができる。また、複数の時刻表
示を一括して任意の時間シフトさせることができる。従って、複雑なイベント開催予定で
あっても、その時刻データを全て間違いなく一括変更することが可能になる。
【００３８】
図４は、上記のシステムのハードウエアブロック図である。
本体制御部３の内部バス１１０には、ＣＰＵ（中央処理装置）１１１と、ＲＯＭ（リー
ドオンリメモリ）１１２と、ＲＡＭ（ランダムアクセスメモリ）１１３と、ＨＤＤ（ハー
ドディスク）１１４と、入出力インタフェース１１５とが接続されている。入出力インタ
フェース１１５には、ディスプレイ２とキーボード４とマウス５と液晶プロジェクタから
なる表示装置４０やＤＶＤ４３やＶＴＲ４４が接続されている。本体制御部３のハードウ
エアは一般的によく知られたパーソナルコンピュータに備えられている。
【００３９】
図１に示した記憶装置３０は、ＲＯＭ１１２やＲＡＭ１１３やＨＤＤ１１４により構成
される。図１に示した演算処理装置２０は、ＣＰＵ１１１、ＲＯＭ１１２、ＲＡＭ１１３
等により構成される。主なデータは、ＨＤＤ１１４に記憶される。また、ＣＰＵ１１１が
実行するコンピュータプログラムは、ＲＯＭ１１２に記憶され、あるいはＲＡＭ１１３に
適時ロードされる。シフト時間データは、キーボード１０３やマウス１０５により入力さ
れる。キーボード１０３やマウス１０５から入力されたデータは、入出力インタフェース
１１５を通じてＲＡＭ１１３に一時記憶され、所定のタイミングで中央処理装置に読み出
されて使用される。
【実施例３】
【００４０】
図５は、スケジュールデータの設定処理動作フローチャートである。
以下、上記のシステムを動作させるコンピュータプログラムの実施例を説明する。ここ
では、図２で説明したスケジュールデータ３５を生成する。まず、ステップＳ１１で、入
力受付手段２１を起動して、図２に示したようなスケジュールデータ３５の入力画面をデ
ィスプレイ２に表示する。次に、ステップＳ１２で、スケジュール処理手段２３を起動す
る。その結果、ステップＳ１３で、項目毎のスケジュール設定画面の表示をする。この画
面の具体例は図２４等で後述する。ステップＳ１４では、表示開始時刻３６の入力をする
。ステップＳ１５では、表示終了時刻３７の入力をする。ステップＳ１６では、タイトル
３８の入力をする。ステップＳ１７では、タイトル３８のプロパティの入力をする。この
画面の実施例も図３３等で後述する。これで、ページのデータファイルを特定する。以上
の処理で、図２で例示したスケジュールデータ３５が作成できる。
【００４１】
図６は、スケジュールデータの変更処理動作フローチャートである。
この処理により、スケジュールデータ３５の表示開始時刻３６や表示終了時刻３７の一
括シフトを要求する。ステップＳ２１では、入力受付手段２１を起動する。ステップＳ２
２では、スケジュール処理手段２３の起動をする。ここまでは、図５の処理と同様である
。ステップＳ２３では、スケジュール変更画面２８の表示をする。その具体例は図１２等
で後述する。ステップＳ２４では、変更処理の種類により分岐をする。スケジュール変更
画面２８を使用して、全体的にスケジュールを変更するのか、指定時間帯のスケジュール
を変更するのか、スケジュールを直接変更するのかをここで指定する。その後の処理は図
７で説明する。
【００４２】
図７は、変更処理の種類により分岐した動作フローチャートである。
ステップＳ３１では、全体のスケジュールの変更処理かどうかという判断をする。この
判断の結果がイエスのときはステップＳ３２の処理に移行し、ノーのときはステップＳ３
３の処理に移行する。ステップＳ３２では、スケジュールデータ３５に含まれた表示開始
時刻３６と表示終了時刻３７全体を処理対象に指定する。ステップＳ３３では、部分変更
処理かどうかという判断をする。この判断の結果がイエスのときはステップＳ３４の処理
に移行し、ノーのときはステップＳ３６の処理に移行する。ステップＳ３４では、表示開
始時刻３６や表示終了時刻３７が指定開始時刻以後であって、終了時刻以下のものかどう
かという判断をする。この判断の結果がイエスのときはステップＳ３５の処理に移行し、
ノーのときはステップＳ３６の処理に移行する。ステップＳ３５では、該当する時間範囲
のものを処理対象に指定する。ステップＳ３６では、連動処理かどうかという判断をする
。複数のページが関係付けられていたときにイエスとなる。この判断の結果がイエスのと
きはステップＳ３７の処理に移行し、ノーのときはステップＳ３８の処理に移行する。ス
テップＳ３７では、関係付けられたページの表示開始時刻３６や表示終了時刻３７を一括
シフトの対象に指定する。ステップＳ３８以下では、これまでの処理で指定された処理対
象をひとつずつ順に選択して時刻の一括シフト処理をする。ステップＳ３９では、表示開
始時刻３６のシフトをする。ステップＳ４０では、表示終了時刻３７のシフトをする。ス
テップＳ４１では、全ての対象について処理が終了したかどうかという判断をする。この
判断の結果がイエスのときはステップＳ４２の処理に移行し、ノーのときはステップＳ３
８に戻る。ステップＳ４２では、表示制御手段２５が表示制御を開始する。以上の処理に
より、該当する表示開始時刻３６や表示終了時刻３７の一括シフトができる。
【００４３】
図８は時刻表示の変更処理動作フローチャートである。
この図により、図３で説明したシフト時間データの入力と表示時刻の変更動作を説明す
る。ステップＳ５１では、入力受付手段２１の起動をする。ステップＳ５２では、スケジ
ュール処理手段２３の起動をする。これにより、図３に示したスケジュール変更画面２８
が表示される。ステップＳ５３では、この画面で入力された修正対象のイベントを取得す
る。ステップＳ５４では、シフト時間データ２６の取得をする。ステップＳ５５では、シ
フト方法の取得をする。ここで、例えば、ページ全体の時刻表示を一括シフトするか、特
定の時刻表示以下を一括シフトするか、指定されたグループの時刻表示を一括シフトする
かを特定する。ステップＳ５６では、対象となる時刻表示を選択する。ステップＳ５７で
は、シフト処理手段２２を起動する。ステップＳ５８では、シフト時間データ２６を用い
てシフト演算処理をする。これで、該当する時刻表示の一括シフトデータが得られた。ス
テップＳ５９では、ページ処理手段２４の起動をする。ステップＳ６０で、上記の結果を
利用して、表示すべきページの生成をする。ステップＳ６１で、表示制御手段２５により
、所定のタイミングでページの表示が行われる。
【００４４】
なお、上記の演算処理装置で実行されるコンピュータプログラムは、機能ブロックで図
示した単位でモジュール化されてもよいし、複数の機能ブロックを組み合わせて一体化さ
れてもよい。また、上記のコンピュータプログラムは、既存のアプリケーションプログラ
ムに組み込んで使用してもよい。本発明を実現するためのコンピュータプログラムは、例
えばＣＤ−ＲＯＭのようなコンピュータで読み取り可能な記録媒体に記録して、任意の情
報処理装置にインストールして利用することができる。
【実施例４】
【００４５】
図９は、スケジュールデータの設定方法説明図である。
スケジュールデータは、ページの表示時間を示すデータを任意の数だけ含む制御データ
である。表示時間には、ページの表示開始時刻３６とページの表示終了時刻３７とが含ま
れている。この図に示した画面８０は、スケジュールデータの設定画面である。この画面
８０をコンピュータ１０（図１）のディスプレイ２に表示しながら、表示時間と表示され
るページを特定するためのタイトルとを入力する。いずれも自由に設定できる。
【００４６】
ページは、静止画のみならず動画データを含むことができる。また、特定のディスプレ
イに表示されるページだけでなく、他のＤＶＤ再生装置やＶＴＲ再生装置の再生開始時刻
や再生終了時刻を制御するページも対象になる。こうした機器の動作を制御するページは
、そのページの表示開始と連動して、機器機の動作を制御するプログラムが起動するペー
ジのことをいう。例えば、あるページの表示が開始されるとＤＶＤ再生装置が起動して、
ＤＶＤ画像が表示され、そのページの表示終了時刻がくるとＤＶＤ再生装置が停止する。
従って、シフト処理手段２２（図１）は、ページの表示開始時刻とページの表示終了時刻
を一括シフトするとともに、間接的であるが、任意の制御対象装置の動作開始時刻と動作
終了時刻もシフトする。これから説明する実施例では、シフト時間データの入力により、
スケジュールデータの設定内容やページに含まれた時刻表示を一括シフトする処理を説明
する。
【００４７】
図１０は、スケジュールデータの内容説明図である。
このスケジュールデータ８１は、図９の画面８０により設定されたものである。これは
、図１に示した記憶装置３０に記憶される。そして、図１に示した表示制御手段２５は、
このスケジュールデータ８１を参照して、表示時間を示すデータ中の表示開始時刻と現在
時刻とが一致したとき、タイトルを示すデータを参照して、該当するページを記憶装置か
ら読み出して表示する。図のイベントＡ、Ｂ・・・には、ＤＶＤ再生装置等を制御するペ
ージが含まれる。制御対象装置に対しては、該当ページの表示開始後、所定のタイミング
で動作開始コマンドを送信する。また、該当ページの表示終了時刻前に動作終了コマンド
を送信する。表示制御手段２５は、スケジュールデータ８１に含まれた全てのページにつ
いて、表示時刻順に最後まで制御を実行する。
【００４８】
図１１は、スケジュールデータによる表示装置の動作例説明図である。
この図は、縦方向に時間軸をとって示した。図１０に示したスケジュールデータ８１に
よれば、午前０時から「本日のご案内」というページ１２０の表示を開始する。このペー
ジ１２０は後で説明するようにベースページと呼び、他のページが表示されていないとき
に常に表示される。従って、スケジュールデータ８１で、表示終了時刻は設定されていな
い。午前１１時になるとイベントＡの表示を開始し、午前１１時４５分になると、イベン
トＡの表示を終了する。イベントＡの表示が終了すると再び「本日のご案内」というペー
ジ１２０が表示される。次のページの表示開始までこの表示が継続する。
【００４９】
１２時５５分になると「イベントＢのご案内」というページ１２１が表示される。この
表示は１３時まで続けられる。１３時から、イベントＢの表示が開始される。この例では
、イベントＢは、プログラム１、プログラム２、プログラム３というコンテンツを３００
秒ずつ表示する動作を含む。プログラム１、２、３は、動画データによるコンテンツを表
示制御するものだったり、ＤＶＤによるコンテンツを表示制御するものだったりする。イ
ベントＢの表示が終了すると、再び「本日のご案内」というページ１２０が表示される。
次のページの表示開始までこの表示が継続する。１５時になると、今度はイベントＣの表
示が開始される。１５時３５分までイベントＣの表示が行われ、その後再びページ１２０
が表示される。１７時にはイベントＤの表示が開始され１７時５５分にイベントＤの表示
が終了する。その後はページ１２０が午前０時まで表示される。これで２４時間分の制御
が終了するが、翌日も連続して制御することができる。このようにしてスケジュールデー
タ８１による表示制御が行われる。
【００５０】
図１２は、シフト処理手段を起動するための画面説明図である。
スケジュールデータ８１（図１０）に含まれた、ページ等の表示開始時刻と表示終了時
刻を一括シフトするために、図のような画面１２２を使用する。画面１２２には、スケジ
ュール変更メニューと題して、ボタン１２３、１２４、１２５が設けられている。画面１
２２のボタン１２３は、全体的にスケジュールを遅らせたり進めたりする処理を開始させ
るためのものである。ボタン１２４は、指定時間帯のスケジュールを遅らせたり進めたり
する処理を開始させるためのものである。既に説明した実施例では、ページ単位でシフト
時間を設定した。また、あるいは、特定の時刻以降という範囲を指定して、シフト時間を
設定する説明をした。この実施例では、指定された時間帯、即ち、ある時刻からある時刻
までの間のスケジュールをシフトさせることができる。ボタン１２５は、スケジュール表
の設定を直接変更する処理を開始させるためのものである。
【００５１】
図１３は、スケジュールデータの主要部を示す。
この図には、図１０で説明したスケジュールデータ８１の主要部を示す。この中の各ペ
ージの表示開始時刻と表示終了時刻を、図１２の画面１２２で一括シフトする。この画面
は初期状態である。通常はこの画面に示すスケジュールで、ページの表示やイベントの動
作が制御される。しかし、様々な事情によって、予定を変更しなければならないことがあ
る。そのときに、以下の操作によって、管理者が簡単に、かつ、正確に予定を変更できる
。関連する各部の時刻設定を個別に操作しないでよい。一括して変更できる。また、初期
設定の状態にいつでも復帰できる。
【００５２】
図１４は、シフト時間データの入力画面説明図である。
この画面１３０は、図１２に示した画面のボタン１２３をクリックしたときに起動され
る。全体的にスケジュールを遅らせたり進めたりするための設定をする。オプションボタ
ン１３１は、スケジュールを遅らせるか進めるかを指定するボタンである。テキストボッ
クス１３２は、シフト時間を選択して入力するためのものである。ボタン１３３はオーケ
ーボタンで、これをクリックすると設定が完了する。ボタン１３４はキャンセルボタンで
、これをクリックすると設定処理がキャンセルされる。例えばこの画面１３０では、スケ
ジュールを全体的に５分遅らせるように設定できる。この画面で時刻をシフトできるのは
、「本日のご案内」というベースページを除く全てのページである。
【００５３】
図１５は、シフト処理後のスケジュールデータ説明図である。
この図と図１３を比較してわかるように、イベントＡの表示開始時刻が１１時から１１
時５分にシフトされている。イベントＡの表示終了時刻も１１時４５分から１１時５０分
にシフトされている。「イベントＢのご案内」というページ、イベントＢ、イベントＣ、
イベントＤについても、一括して５分間、その表示開始時刻と表示終了時刻とがシフトさ
れている。即ち、この実施例によれば、スケジュールデータに含まれた、変更可能なペー
ジ表示時間を、一括して自由にシフトすることができる。
【００５４】
図１６は、時間帯を指定したシフト時間データの入力画面説明図である。
この画面１４０は、図１２に示した画面のボタン１２４をクリックしたときに起動され
る。指定時間帯のスケジュールを遅らせたり進めたりするための設定をする。テキストボ
ックス１４１、１４２は、時間をシフトする対象を特定する。初期状態で、時刻が１１時
３０分から１４時の間のデータを一括シフトするように設定する。テキストボックス１４
１には、対象の開始時刻を入力し、テキストボックス１４２には対象の終了時刻を入力す
る。オプションボタン１４３は、スケジュールを遅らせるか進めるかを指定するボタンで
ある。テキストボックス１４４は、シフト時間を選択して入力するためのものである。ボ
タン１４５はオーケーボタンで、これをクリックすると設定が完了する。ボタン１４６は
キャンセルボタンで、これをクリックすると設定処理がキャンセルされる。例えばこの画
面１４０では、１１時３０分から１４時の範囲で、スケジュールを全体的に１０分遅らせ
るように設定できる。
【００５５】
図１７は、変更後のスケジュールデータの説明図である。
図１３に示したものと比較するとわかるように、スケジュールデータ８１の１１時半か
ら１４時までの間の時刻設定が変更されている。即ち、イベントＡの表示終了時刻と、「
イベントＢのご案内」の表示開始時刻及び表示終了時刻と、イベントＢの表示開始時刻と
表示終了時刻とが、１０分ずつシフトされている。これらも、上記の画面１４０により、
一括してシフト処理することができる。
【００５６】
図１８は、スケジュール表を直接変更する画面の説明図である。
これまでは、複数のページの表示時間を一括シフトした。この例では、特定のページの
表示時間を個別に変更する。これだけであれば、一括シフト処理の効果はない。しかしな
がら、変更をしたページの表示時間と密接に関係するページがあるときであって、予めそ
の関連性を定義しておくと、該当する表示開始時刻や表示終了時刻を自動的に連動してシ
フトできる。図の画面１５０のリストボックス１５１には、スケジュールデータに含まれ
た、表示開始時刻や表示終了時刻とページのタイトルが表示されている。ボタン１５２を
クリックすると、リストボックス１５１中で選択された項目の編集画面が表示される。ボ
タン１５３をクリックすると、スケジュールデータが初期状態に戻される。ボタン１５４
はオーケーボタンで、これをクリックするとリストボックス１５１に表示された内容で、
設定が完了する。ボタン１５５はキャンセルボタンで、これをクリックすると設定処理が
キャンセルされる。
【００５７】
図１９は、選択された項目の編集画面説明図である。
この図に示す画面１６０は、図１８に示した画面１５０を用いて、イベントＢの項目を
選択してから、ボタン１５２をクリックすると起動する。画面１６０には、スケジュール
変更の対象がイベントＢであることが表示されている。テキストボックス１６１には、イ
ベントＢの変更後の表示開始時刻を入力する。テキストボックス１６２には、イベントＢ
の変更後の表示終了時刻を入力する。ボタン１６３はオーケーボタンで、これをクリック
するとテキストボックス１６１、１６２に入力した内容で設定が完了する。ボタン１６４
はキャンセルボタンで、これをクリックすると設定処理がキャンセルされる。
【００５８】
図２０は、変更後のスケジュールデータの説明図である。
図のように、イベントＢの開始時刻と終了時刻とが、図１９の画面１６０で入力された
とおりに変更された。さらに、このスケジュールデータの、「イベントＢのご案内」とい
うページの表示開始時刻と表示終了時刻とが変更されている。「イベントＢのご案内」と
いうページは、イベントＢの表示開始時刻の直前の５分間、表示されるように予め定義さ
れている。従って、イベントＢの開始時刻と終了時刻とがシフトされたときは、これと連
動して表示開始時刻と表示終了時刻とが自動的にシフトされる。故に、図１９の画面１６
０を使用して、個別にスケジュールデータを変更しても、一括シフト処理を実行すること
ができる。
【００５９】
図２１は、スケジュールデータの項目定義説明図である。
図に示すように、スケジュールデータは、制御対象となるページのページ数とページデ
ータとスケジュールテーブルを含む。ページデータには、ベースページとイベントページ
と繰り返しページとサブページの４種類がある。ペースページは、既に説明した「本日の
ご案内」のページであり、表示開始時刻のみが設定される。イベントページは、表示開始
時刻と表示終了時刻が設定される。繰り返しページは、表示開始時刻と表示終了時刻まで
、その表示を繰り返しすように定義される。サブページは図１０で示したプログラム１〜
３のようなページであって、表示開始時刻はイベントページで定義され、表示終了までの
時間のみが定義される。直接、時刻シフト制御の対象になるのは、イベントページと繰り
返しページである。このページデータで、表示対象になるイベント情報を特定する。また
、イベントページと一体に制御されるサブページも定義する。
【００６０】
図２２はスケジュールデータの別の項目定義説明図である。
サブページデータの構成は、ページデータと同様である。定義すべき項目が異なるだけ
である。スケジュールテーブルは、イベント数とイベント情報を定義する。イベント情報
は、イベントを特定する識別情報とイベントのタイトル名等を含む。これは、スケジュー
ルデータのタイトルという項目に表示される。上映コンテンツ情報には、このページが、
時刻表示やイベントの時間、カウントダウンを表示する要素を含むかどうかが定義される
。こうした表示が、図１等で説明した時刻表示３４に該当し、一括シフトの対象になる。
【００６１】
図２３は、スケジュールデータのさらに別の項目の定義説明図である。
この図に示す時刻上演データも、上映コンテンツ情報と同様に、時刻表示等を含むかど
うかが定義できる。なお、表示される画像データに含まれた時刻表示の中にも、一括シフ
トすることができないデータが含まれていてよい。上映要素のデータは、例えば、絶対時
刻を表示する時計の画像データである。これはページの一部に例えば、図１１に示したよ
うに含められる。これは時間シフト処理の対象から除外される。
【００６２】
図２４は、スケジュールデータ作成用画面の説明図である。
図の画面２００には、スケジュールデータに含まれた各項目を表示したリストボックス
２０１が設けられている。スケジュールデータを最初に作成するときは、このリストボッ
クス２０１には何も表示されていない。図は、入力途中の状態を示す。ボタン２０２をク
リックすると項目の追加ができる。リストボックス２０１に表示されたいずれかの項目を
選択した後でボタン２０３をクリックすると、項目が削除できる。同じくいずれかの項目
を選択した後でボタン２０４をクリックすると、選択した項目を編集できる。ボタン２０
５はオーケーボタンで、これをクリックすると設定が完了する。ボタン２０６はキャンセ
ルボタンで、これをクリックすると設定処理がキャンセルされる。
【００６３】
図２５は、項目追加画面の説明図である。
図２４に示した画面２００のボタン２０２をクリックすると、この画面２１０が表示さ
れる。テキストボックス２１１には、新たな項目のタイトル「イベントＤ」を入力する。
テキストボックス２１２には、イベントＤの表示開始時刻を入力する。テキストボックス
２１３には、イベントＤの変更後の表示終了時刻を入力する。ボタン２１４はオーケーボ
タンで、これをクリックするとテキストボックス２１２、２１３に入力した内容で設定が
完了する。ボタン２１５はキャンセルボタンで、これをクリックすると設定処理がキャン
セルされる。
【００６４】
図２６は、項目の変更処理画面の説明図である。
図２４に示した画面２００のボタン２０３をクリックすると、この画面２２０が表示さ
れる。画面２２０のテキストボックス２２１には、変更する項目のタイトルが自動的に表
示される。これで、イベントＢの内容を書き換えることができる。また、テキストボック
ス２２２、２２３にも、入力済みの表示開始時刻、表示終了時刻が自動的に表示される。
テキストボックス２２２には、イベントＢの変更後の表示開始時刻を入力する。テキスト
ボックス２２３には、イベントＢの変更後の表示終了時刻を入力する。ボタン２２４はオ
ーケーボタンで、これをクリックするとテキストボックス２２２、２２３に入力した内容
で設定が完了する。ボタン２２５はキャンセルボタンで、これをクリックすると設定処理
がキャンセルされる。
【００６５】
図２７は、ページ設定画面の説明図である。
この画面２３０ではベースページを設定する。ベースページというのは、既に説明した
ように、イベントが何も表示されていないときに表示されるページである。テキストボッ
クス２３１には、ページのタイトル「本日のご案内」を入力する。ドロップダウンリスト
２３２でページの種類を選択する。ここで、ベースページであることを定義する。関係付
けられる対象イベントは無いから、ドロップダウンリスト２３３には何にも入力しない。
テキストボックス２３４には、表示開始時刻を入力する。ベースページを選択すると、表
示終了時刻を指定するテキストボックス２３５は入力禁止になる。ボタン２３６をクリッ
クすると設定が完了する。ボタン２３７をクリックすると処理がキャンセルされる。
【００６６】
図２８は、イベントの設定画面説明図である。
この画面２４０では、イベントページを設定する。この例では、テキストボックス２４
１に、「イベントＢのご案内」というページ名を入力してある。ドロップダウンリスト２
４２で、ページの種類を選択する。ここで、イベントページであることを定義する。ドロ
ップダウンリスト２４３では、関連性のある対象イベントを特定する。「イベントＢのご
案内」というページは、イベントＢの開始時刻５分前からイベントＢの開始時刻まで表示
されるページである。従って、対象イベントをイベントＢと入力する。これにより、テキ
ストボックス２４４と２４５に、自動的に、イベントＢの表示開始時刻と表示終了時刻と
が表示される。これらを、「イベントＢのご案内」の表示開始時刻と表示終了時刻に修正
する。イベントＢが１３時から開始されるから、１２時５５分から表示を開始して、１３
時に終了するように設定する。こうして対象イベントを特定しておくと、対象イベントの
時刻のシフト処理の際に、その表示開始時刻と表示終了時刻とが連動してシフトされる。
即ち、複数のページを相互に関係付けておくことで、関係付けられたページ群をシフト処
理の対象に含めることができる。
【００６７】
図２９は、繰り返しページの設定動作説明図である。
この画面２５０では、繰り返しページを設定する。イベントＢは、サブページを繰り返
し実行するように制御するページであった。ここでその定義をする。テキストボックス２
５１に、タイトル「イベントＢ」を入力する。ドロップダウンリスト２５２で繰り返しペ
ージを選択する。ドロップダウンリスト２５３で、対象イベントを選択する。テキストボ
ックス２５４と２５５には、イベントＢの表示開始時刻と表示終了時刻とを入力する。ボ
タン２５６をクリックすると設定が完了する。ボタン２５７をクリックすると処理がキャ
ンセルされる。
【００６８】
図３０は、ペースページに含まれる予定時刻データの設定画面説明図である。
上記の「本日のご案内」としたベースページには、予定時刻データが含まれている。こ
れは、一括シフト処理の対象になる。この画面でそれを設定する。テキストボックス２６
２には、ページのタイトルを入力する。テキストボックス２６８には予定時刻データを入
力する。テキストボックス２６９には、イベント名等を入力する。なお、画像データ２６
１は、絶対時刻を表示するデータに従って変化する既知の動画データである。
【００６９】
図３１は、ベースページのプロパティ制御画面説明図である。
画面２６０（図３０）の例えば、１行目の項目をクリックすると、この画面２７０が起
動する。画面２７０のドロップダウンリスト２７１は、「開始時刻を表示する」を選択し
ている。ドロップダウンリスト２７２は、対象イベントがイベントＡであるとしている。
即ち、「本日のご案内」の１行目が、イベントＡのタイトルとその開始時刻を表示するよ
うに、この画面で設定することができる。他の行についても同様である。ボタン２７３を
クリックすると設定が完了する。ボタン２７４をクリックすると処理がキャンセルされる
。
【００７０】
図３２は、イベントＢのご案内のページデータ説明図である。
図のように、このページ２８０には、「スペシャルイベントＢ開始まであと」というコ
メントと、「００時間００分００秒」という時刻表示とが含まれている。この時刻表示は
カウントダウン表示である。現在時刻とイベントＢの表示開始時刻の差分を演算処理して
生成される。これもページに含まれる予定時刻データに基づいて生成される画像データで
ある。従って一括シフト処理の対象になる。
【００７１】
図３３はカウントダウン表示のプロパティ画面説明図である。
画面２８０（図３２）の「００時間００分００秒」という時刻表示をクリックすると、
このプロパティ画面２９０が表示される。テキストボックス２９１で、カウントダウン表
示をするデータであることを指定する。テキストボックス２９１でスペシャルイベントＢ
の開始までのカウントダウンであることを指定する。ボタン２９３をクリックすると設定
が完了する。ボタン２９４をクリックすると処理がキャンセルされる。
【図面の簡単な説明】
【００７２】
【図１】実施例１の画像表示制御システムブロック図。
【図２】画像表示制御方法の具体例説明図。
【図３】ページデータ制御の具体例説明図。
【図４】ページの表示予定時刻修正画面例説明図。
【図５】システムのハードウエアブロック図。
【図６】時刻表示の変更処理動作フローチャート。
【図７】ページ表示時刻の変更動作フローチャート。
【図８】ページ表示時刻の直接変更動作フローチャート。
【図９】スケジュールデータの設定方法説明図。
【図１０】スケジュールデータの内容説明図。
【図１１】スケジュールデータによる表示装置の動作例説明図。
【図１２】シフト処理手段を起動するための画面説明図。
【図１３】スケジュールデータの主要部説明図。
【図１４】シフト時間データの入力画面説明図。
【図１５】シフト処理後のスケジュールデータ説明図。
【図１６】時間帯を指定したシフト時間データの入力画面説明図。
【図１７】変更後のスケジュールデータの説明図。
【図１８】スケジュール表を直接変更する画面の説明図。
【図１９】選択された項目の編集画面説明図。
【図２０】変更後のスケジュールデータの説明図。
【図２１】スケジュールデータの項目定義説明図。
【図２２】スケジュールデータの別の項目定義説明図。
【図２３】スケジュールデータのさらに別の項目の定義説明図。
【図２４】スケジュールデータ作成用画面の説明図。
【図２５】項目追加画面の説明図。
【図２６】項目の変更処理画面の説明図。
【図２７】ページ設定画面の説明図。
【図２８】イベントの設定画面説明図。
【図２９】繰り返しページの設定動作説明図。
【図３０】ペースページに含まれる予定時刻データの設定画面説明図。
【図３１】ベースページのプロパティ制御画面説明図。
【図３２】イベントＢのご案内のページデータ説明図。
【図３３】カウントダウン表示のプロパティ画面説明図。
【符号の説明】
【００７３】
１  コンピュータ、２  ディスプレイ、３  本体制御部、４  キーボード、５  マウス、
２０  演算処理装置、２１  入力受付手段、２２  シフト処理手段、２３  スケジュール
処理手段、２４  ページ処理手段、２５  表示制御手段、２６  シフト時間データ、２７
スケジュール設定画面、２８  スケジュール変更画面、２９  絶対時刻データ、３０  
記憶装置、３１  画像データ、３２  画像要素、３４  時刻表示、３５  スケジュールデ
ータ、３６  表示開始時刻、３７  表示終了時刻、３８  タイトル、４０  表示装置、４
１  スクリーン、４３  ＤＶＤ、４４  ＶＴＲ、４５  入出力インタフェース
【図１】
2007293742.tif 000003
【図２】
2007293742.tif 000004
【図３】
2007293742.tif 000005
【図４】
2007293742.tif 000006
【図５】
2007293742.tif 000007
【図６】
2007293742.tif 000008
【図７】
2007293742.tif 000009
【図８】
2007293742.tif 000010
【図９】
2007293742.tif 000011
【図１０】
2007293742.tif 000012
【図１１】
2007293742.tif 000013
【図１２】
2007293742.tif 000014
【図１３】
2007293742.tif 000015
【図１４】
2007293742.tif 000016
【図１５】
2007293742.tif 000017
【図１６】
2007293742.tif 000018
【図１７】
2007293742.tif 000019
【図１８】
2007293742.tif 000020
【図１９】
2007293742.tif 000021
【図２０】
2007293742.tif 000022
【図２１】
2007293742.tif 000023
【図２２】
2007293742.tif 000024
【図２３】
2007293742.tif 000025
【図２４】
2007293742.tif 000026
【図２５】
2007293742.tif 000027
【図２６】
2007293742.tif 000028
【図２７】
2007293742.tif 000029
【図２８】
2007293742.tif 000030
【図２９】
2007293742.tif 000031
【図３０】
2007293742.tif 000032
【図３１】
2007293742.tif 000033
【図３２】
2007293742.tif 000034
【図３３】
2007293742.tif 000035